(57)【特許請求の範囲】
【請求項１】
塵埃等を吸引する吸込口を有する吸込口本体と、該吸込口本体に回動自在に連結された連結筒とを備え、
前記吸込口本体を上部の中空室と下部の吸込室に区画し、前記吸込室の前面に前面開口部と該前面開口部を開閉する開閉扉を設けると共に、該開閉扉と連動し前記吸込室内の負圧によって上下動する可動部を設け、
前面開口部の上部に中空室と連通し前記開閉扉を収容する収容部を設けると共に、前記中空室に該中空室と吸込室間を連通し可動部の上下動によって開閉する連通孔を備えた可動部支持室を設け、該可動部支持室内を上下動する可動部と前記収容室内を移動する開閉扉とを前記中空室内において連結手段により連結した電気掃除機の床用吸込口体であって、
可動部支持室に配設され弾性体によって可動板を中空室側に付勢して前記可動部支持室の連通孔を閉塞する可動部と、該可動部に取り付けた歯形部と、回動自在に軸支され一端に前記歯形部と噛み合う歯形部を有し、他端に回動接続部を有するほぼＶ字状の回動部、前面開口部を開閉する開閉扉、該開閉扉を収容する収容部内に配設され一端が前記回動部の回動接続部に連結され他端が前記開閉扉に連結された腕部とを備え、
前記吸込室内の負圧が強まると前記可動部が吸込室方向に移動して前記開閉扉が前面開口部を開放し、前記吸込室内の負圧が弱まると前記可動部が中空室方向に移動して前記開閉扉により前面開口部を閉じるように構成したことを特徴とする電気掃除機の床用吸込口体。
【請求項２】
塵埃等を吸引する吸込口を有する吸込口本体と、該吸込口本体に回動自在に連結された連結筒とを備え、
前記吸込口本体を上部の中空室と下部の吸込室に区画し、前記吸込室の前面に前面開口部と該前面開口部を開閉する開閉扉を設けると共に、該開閉扉と連動し前記吸込室内の負圧によって上下動する可動部を設け、
前面開口部の上部に中空室と連通し前記開閉扉を収容する収容部を設けると共に、前記中空室に該中空室と吸込室間を連通し可動部の上下動によって開閉する連通孔を備えた可動部支持室を設け、該可動部支持室内を上下動する可動部と前記収容室内を移動する開閉扉とを前記中空室内において連結手段により連結した電気掃除機の床用吸込口体であって、
可動部支持室に配設され弾性体によって可動板を中空室側に付勢して前記可動部支持室の連通孔を閉塞する可動部と、支持溝内に配設され弾性体により前面開口部側に付勢されて該前面開口部を閉塞する開閉扉と、前記可動部と開閉扉との間に懸架された連結材とを備え、
前記吸込室内の負圧が強まると前記可動部が吸込室方向に移動して前記開閉扉が前面開口部を開放し、前記吸込室内の負圧が弱まると前記可動部が中空室方向に移動して前記開閉扉により前面開口部を閉じるように構成したことを特徴とする電気掃除機の床用吸込口体。
【請求項３】
中空室の壁面に外気と連通する小孔を設けたことを特徴とする請求項１または２記載の電気掃除機の床用吸込口体。
【発明の詳細な説明】
【０００１】
【発明の属する技術分野】
本発明は、電気掃除機の床用吸込口体に関するものである。
【０００２】
【従来の技術】
図９、図１０は、例えば特公平８ー１５４７４号公報に開示された従来の電気掃除機の床用吸込口体の一例を示す縦断面図及びその底面側から見た斜視図である。この電気掃除機によって掃除を行う際には、横長の吸込口４１を絨毯の面に向けた状態にして、吸込口本体４０を前方または後方に進ませる。このとき、モータ４２によって清掃回転体４３が高速で回転し、清掃ブレード４４が絨毯上または絨毯中のごみをかき上げて吸塵を行う。
【０００３】
【発明が解決しようとする課題】
上記のように構成した電気掃除機の床用吸込口体によれば、毛足の長い絨毯の掃除を行う場合、吸込口４１が絨毯の毛で塞がってしまい、吸込口本体４０が絨毯に吸い付いて離れにくくなり、操作性が悪くなる場合があった。
【０００４】
本発明は上記のような課題を解決するためになされたもので、毛足の長い絨毯等であっても吸い付きが発生せず、操作性が極めて優れ、壁際でも吸塵性能が良好な電気掃除機の床用吸込口体を得ることを目的とする。
【０００５】
【課題を解決するための手段】
本発明にかかる電気掃除機の床用吸込口体は、塵埃等を吸引する吸込口を有する吸込口本体と、吸込口本体に回動自在に連結された連結筒とを備え、吸込口本体を上部の中空室と下部の吸込室に区画し、吸込室の前面に前面開口部と前面開口部を開閉する開閉扉を設けると共に、開閉扉と連動し吸込室内の負圧によって上下動する可動部を設け、前面開口部の上部に中空室と連通し開閉扉を収容する収容部を設けると共に、中空室に中空室と吸込室間を連通し可動部の上下動によって開閉する連通孔を備えた可動部支持室を設け、可動部支持室内を上下動する可動部と収容室内を移動する開閉扉とを中空室内において連結手段により連結した電気掃除機の床用吸込口体であって、可動部支持室に配設され弾性体によって可動板を中空室側に付勢して可動部支持室の連通孔を閉塞する可動部と、可動部に取り付けた歯形部と、回動自在に軸支され一端に前記歯形部と噛み合う歯形部を有し、他端に回動接続部を有するほぼＶ字状の回動部、前面開口部を開閉する開閉扉、開閉扉を収容する収容部内に配設され一端が前記回動部の回動接続部に連結され他端が開閉扉に連結された腕部とを備え、吸込室内の負圧が強まると可動部が吸込室方向に移動して開閉扉が前面開口部を開放し、吸込室内の負圧が弱まると可動部が中空室方向に移動して開閉扉により前面開口部を閉じるように構成した。
【０００６】
また、本発明にかかる電気掃除機の床用吸込口体は、塵埃等を吸引する吸込口を有する吸込口本体と、吸込口本体に回動自在に連結された連結筒とを備え、吸込口本体を上部の中空室と下部の吸込室に区画し、吸込室の前面に前面開口部と前面開口部を開閉する開閉扉を設けると共に、開閉扉と連動し吸込室内の負圧によって上下動する可動部を設け、開口部の上部に中空室と連通し開閉扉を収容する収容部を設けると共に、中空室に中空室と吸込室間を連通し可動部の上下動によって開閉する連通孔を備えた可動部支持室を設け、可動部支持室内を上下動する可動部と収容室内を移動する開閉扉とを中空室内において連結手段により連結した電気掃除機の床用吸込口体であって、可動部支持室に配設され弾性体によって可動板を中空室側に付勢して可動部支持室の連通孔を閉塞する可動部と、支持溝内に配設され弾性体により前面開口部側に付勢されて前面開口部を閉塞する開閉扉と、可動部と開閉扉との間に懸架された連結材とを備え、吸込室内の負圧が強まると可動部が吸込室方向に移動して開閉扉が前面開口部を開放し、吸込室内の負圧が弱まると可動部が中空室方向に移動して開閉扉により前面開口部を閉じるように構成した。
【０００７】
さらに、本発明にかかる電気掃除機の床用吸込口体は、中空室の壁面に外気と連通する小孔を設けた。
【０００９】
【発明の実施の形態】
［実施の形態１］
図１は本発明の実施の形態１の縦断面図、図２は一部を断面で示した図１の正面図である。１は電気掃除機の床用吸込口体の吸込口本体で、上ケース２と下ケース３を連結して内部に吸込口室４を形成している。５は吸込口本体１の底面の前部側に開口して塵埃等を含んだ空気を吸込口室４内に吸引する横長の吸込口である。５ａは吸込口本体１の吸込口室４を上下に分割する仕切壁で、下部側には吸込室６が設けられ、上部側には中空室７が設けられている。
８は吸込ホース（図示せず）に接続する連結筒で、吸込口本体１の後部、より詳しくは吸込室６の後部に回動自在に接続している。
【００１０】
９は仕切壁５の一部を吸込室６側に凹状に突出させて形成した可動部支持室で、その底面には中空室７と吸込室６を連通する連通孔９ａと、弾性体係止部９ｂが設けられている。１０は負圧によって上下方向に移動して可動部支持室９の連通孔９ａを開閉する可動部で、例えば吸込口本体１のほぼ中央部に設けられ、可動板１１と可動板支持体１２と弾性体１３とから構成されている。
【００１１】
可動部１０を詳述すると、可動板１１は可動支持室９の底面の下側に配設され、吸込室６が負圧状態になると吸込室６側に引き寄せられ、負圧状態が解除されると底面側に戻されて連通孔９ａを塞ぐ。また、可動板支持体１２は可動部支持室９内に配設され、下端部が可動板１１のほぼ中央部に取り付けられて連通孔９ａ内を貫通して上下動する軸部１２ａと、軸部１２ａの上端部に取り付けた座板１２ｂとからなり、軸部１２ａにはコイル状の弾性体１３が介装され、弾性体１３の上端部は座板１２ｂに当接し、下端部は弾性体係止部９ｂに当接されて、可動部１０を中空室７側に付勢している。
【００１２】
１４は可動板支持体１２の座板１２ｂの上部に可動板支持体１２の軸部１２ａとほぼ同軸になるように取付けた直線形状の歯形部で、歯部１４ａを前面側に向けてある。
１５は吸込口本体１の中空室７内に配設したほぼＶ字状の回動部で、中空室７内に固定した回動軸１６の回りに回動可能に取り付けられている。１７は回動部１５の後側すなわち直線形状の歯形部１４側に位置する腕部の先端部に設けた円弧形状の歯形部で、歯部１７ａが歯形部１４の歯部１４ａと噛み合うようにしてある。
【００１３】
１８は吸込口本体１の吸込室６の前壁２ａに開口した前面開口部で、前壁２ａの最下端まで開口してある。１９は吸込口本体１の前部で前面開口部１８の上部と仕切壁５ａとの間に形成された横方向に長い開口部で、吸込室６と中空室７を連通している。
２０は例えば弾性材からなり、吸込口本体１の前面開口部１８を開閉する開閉扉で、前面開口部１８に沿って上下動し、開口部１９のスペース内に収容されて前面開口部１８を開放する。２１は開口部１９内のほぼ中央部に配設され、その下端部が開閉扉２０の上部に連結されたほぼ逆Ｊ字状の腕部で、その上端部が回動部１５の回動接続部２２と回動可能に連結されている。２３は中空室７の上ケース２の上壁面に外気と連通するために設けた小孔である。
２４は吸込口本体１前方の左右両側に取付けた前車輪、２５は吸込室６後方の左右外側に取付けた後車輪である。
【００１４】
上記のように構成した実施の形態１の作用を説明する。まず、掃除機の床用吸込口体において、毛足の短い絨毯またはフローリング上での動作を図３を用いて説明する。毛足の短い絨毯またはフローリング２６上を掃除する場合は、塵埃等を含んだ空気流は、吸込口本体１の外部から横長の吸込口５を通過して吸込口室４の吸込室６内に流入し、連結筒８を通って掃除機本体方向に吸引される。このとき、吸込口５が毛によってふさがれることはないため、空気流はスムーズに流れ、吸込口本体１の吸込室６の負圧が極端に高まることはない。このため、可動部１０は負圧によって下方に押し下げられることはなく、開閉扉２０は前面開口部１８を閉塞している。
【００１５】
次に、この掃除機の床用吸込口体において、毛足の長い絨毯上での動作を図４を用いて説明する。毛足の長い絨毯２６ａ上を掃除する場合は、吸込口５が絨毯２６ａの毛によってふさがれる。このため、吸込口本体１の外部から吸込口５を通過して吸込室６内に流入する空気流が制限されてスムーズに流れることができず、吸込み空気の風量が制限されて、吸込室６の負圧が高まる。一方、中空室７は小孔２３を通じて外部の圧力と同じ圧力を保持している。このため、吸込室６内の負圧が極端に高まると、吸込室６と中空室７内に圧力差が生じ、可動部１０の可動板１１が吸込室６内の負圧によって下方に押しさげられ、可動部支持体１２の座板１２ａが弾性体１３を圧縮して下方に移動する。こうして、可動板１１の上部に位置する可動部支持室９の連通孔９ａが開口され、空気流が吸込口本体１の外部から小孔２３、中空室７、可動部支持室９の連通孔９ａを通って吸込室６内に流入し、吸込室６内に吸込み空気流が確保される。
【００１６】
一方、可動部１０が下方に押し下げられると、これと連動して、直線状の歯形部１４も下方に押し下げられる。回動部１５の一方の腕部に取り付けられた円弧形状の歯形部１７の歯部１７ａは、直線状の歯形部１４の歯部１４ａと噛み合っているので、直線状の歯形部１７が下方に押し下げられると、円弧状の歯形部１７ａは回動軸１６を軸として斜下方に回動し、このため回動軸１６を軸として他方の腕部の先端に位置する回動接続部２２が斜上方に移動する。回動接続部２２の移動にともなって腕部２１は斜上方に移動し、これに連結された開閉扉２０の一部が吸込口本体１の前面側に位置する開口部１９内に収容され、吸込口本体１の前面開口部１８を開く。こうして、吸込口本体１の前面開口部１８からも吸込室６内に空気流が流れ込み、吸込室６内に吸込み空気流が確保される。
【００１７】
なお、吸込室６内の負圧が減少して、弾性体１３の付勢力が吸込室６内の負圧以上になると、可動部１０は弾性体１３の弾性力によって上方に復帰し、これにともなって直線状の歯形部１４も上方に移動し、これに噛み合う曲線状の歯形部１７が連動して斜上方前側に移動し、回動部１５が回動軸１５を軸として回動し、回動接続部２２を斜下方に回動させ、腕部２１を降下させて開閉扉２０を下降させ、吸込口本体１の前面開口部１８を塞ぐ。
【００１８】
実施の形態１によれば、可動部支持室９の底面に設けた連通孔部９ａが開き、吸込口本体１の小孔２３等から吸込室６内に流入する空気流が確保されると、毛足の長い絨毯２６ａ上で吸込口５が毛によってふさがれて吸い付きが強くなることがなくなり、操作性が極めて向上する。また、弾性体の開閉扉２０が開口部１９のスペース内に引き込まれて前面開口部１８が開く結果、吸込口本体１の前面部からも空気が流入して、吸込口５側の空気流の風路が確保され、絨毯２６ａ等の床面で壁際の吸塵性能が向上するとともに、ごみを吸うことが可能になる。こうして、毛足の長い絨毯２６ａ上であっても、吸込口５が毛によってふさがれることがなくなり、吸込口本体１の床への吸い付きが起こらず、操作性が極めて向上する。
【００１９】
なお、上記の説明では、中空室７の壁面に外気と連通する小孔２３を設けたが、中空室７の前部に開閉扉２０の収納スペースである開口部１９が存在するため、中空室７には少なからず外気との連絡口が存在する。このため、中空室７の壁面には外気と連通する小孔２３を必ずしも設ける必要はない。また、上記の説明では吸込口本体１のほぼ中央部に可動部１０及び開閉扉２０の駆動機構を設けたが、可動部１０及び駆動機構を吸込口本体１の両サイドに設けてもよい。
【００２０】
［実施の形態２］
図５は本発明の実施の形態２の縦断面図、図６は一部を断面で示したその正面図である。なお、実施の形態１で示した部分と同一部分には同じ符号を付し、説明を省略する。２７は吸込口本体１の開口部１９の上方に形成された開閉扉２０の支持溝で、前壁２ａを吸込口本体１の内側方向にほぼＵ字状に折り曲げてその端部を仕切壁５と接続し、中空室７側に係止部２７ａ，２７ｂを設けてほぼ断面楕円形状に形成したものである。
２８は開閉扉２０の上部に左右両サイドに突出するようにして取り付けた扉支持棒で、支持溝２７内に挿入されてその内部を上下動する。２９は支持溝２７の両サイドにおいて係止部２７ａ，２７ｂと扉支持棒２８との間に介装されたコイル状の支持溝側弾性体で、扉支持棒２８、すなわち開閉扉２０を前面開口部１８側（下方）に付勢している。
【００２１】
３０は可動部１０と開閉扉２０を連結する例えばワイヤの如き連結材で、その中央部が可動板支持体１２に固定され、左右に振分けてそれぞれプーリ３１，３２を介して両端部が扉支持棒２８に取付けられて、扉支持棒２８、したがって開閉扉２０を支持している。なお、２本の連結材の一端をそれぞれ可動板支持体１２に固定し、プーリ３１，３２を介して他端をそれぞれ扉支持棒２８に取付けてもよい。
【００２２】
上記のように構成した実施の形態２の作用を説明する。まず、掃除機の床用吸込口体において、毛足の短い絨毯またはフローリング上での動作を図７を用いて説明する。毛足の短い絨毯またはフローリング２６上を掃除する場合は、塵埃等を含んだ空気流は、吸込口本体１の外部から吸込口５を通過して吸込室６内に流入し、連結筒８を通って掃除機本体方向に吸引される。このとき、吸込口５が毛によってふさがれることはないため、空気流はスムースに流れ、吸込口体１の吸込室６内の負圧が極端に高まることはない。このため、可動部１０は負圧によって下方に押し下げられることはなく、開閉扉２０は下降して前面開口部１８を閉塞している。
【００２３】
次に、この掃除機の床用吸込口体において、毛足の長い絨毯２６ａ上での動作を図８を用いて説明する。毛足の長い絨毯２６ａ上を掃除する場合は、吸込口５が絨毯２６ａの毛によってふさがれる。このため、吸込口本体１の外部から吸込口５を通過して吸込室６内に流入する空気流が制限されてスムーズに流れることができず、吸込み空気の風量が制限されて、吸込室６内の負圧が高まる。一方、中空室７は小孔２３通じて外部の圧力と同じ圧力を保持している。このため、吸込室６内の負圧が極端に高まると、吸込室６と中空室７に圧力差が生じ、可動部１０が下方に押し下げられる。こうして、可動部１０の可動板１１の上部に位置する可動部支持室９の底面の連通孔９ａが開き、吸込み空気流が吸込口本体１の外部から小孔２３、中空室７、可動部支持室９の底面の連通孔９ａを通って吸込室６内へ流入し、吸込室６内に吸込み空気流が確保される。
【００２４】
一方、可動部１０が下方に押しさげられ、可動板支持体１２が降下すると、連結材３０に連結された扉支持棒２８は、支持溝２７内の支持溝側弾性体２９の付勢力に抗して支持溝２７内を上方向に引き上げられ、これにともなって開閉扉２０の一部が吸込口本体１の前面側に位置する開口部１９から支持溝２７内に収容され、前面開口部１８を開く。こうして、吸込口本体１の前面開口部１８からも吸込室６内に吸込み空気流が流入し、吸込室６内に吸込み空気流が確保される。
【００２５】
なお、吸込室６内の負圧が減少して、吸込室６内の負圧が弾性体１３の付勢力以下になると、可動部１０は上方に移動し、連結材３０の可動部１０方向への引張力が減少し、扉支持棒２８が支持溝２７内の支持溝側弾性体２９の付勢力によって下方に押し戻され、開閉扉２０を降下させて、吸込口本体１の前面開口部１８をふさぐ。
【００２６】
実施の形態２によれば、可動部支持室９の底面の連通孔９ａが開き、吸込口本体１の外部から吸込口本体１内に流入する吸込み空気流が確保されると、毛足の長い絨毯２６ａ上で、吸込口５が毛によってふさがれて吸い付きが強くなることがなくなり、操作性が極めて向上する。また、開閉扉２０が開口部１９から支持溝２７内に収容される結果、吸込口５側の吸込み空気流の風路が確保されて、絨毯２６ａ等の床面で、壁際の吸塵性能が向上すると共に、ごみを吸うことが可能になる。こうして、毛足の長い絨毯２６ａ上であっても、吸込口５が毛によってふさがれることがなくなり、吸込口本体１の床への吸い付きが起こらず、操作性が極めて向上する。
【００２７】
【発明の効果】
以上の説明から明らかなように、本発明は、塵埃等を吸引する吸込口を有する吸込口本体と、吸込口本体に回動自在に連結された連結筒とを備え、吸込口本体を上部の中空室と下部の吸込室に区画し、吸込室の前面に前面開口部と前面開口部を開閉する開閉扉を設けると共に、開閉扉と連動し吸込室内の負圧によって上下動する可動部を設け、開口部の上部に中空室と連通し開閉扉を収容する収容部を設けると共に、中空室に中空室と吸込室間を連通し可動部の上下動によって開閉する連通孔を備えた可動部支持室を設け、可動部支持室内を上下動する可動部と収容室内を移動する開閉扉とを中空室内において連結手段により連結した電気掃除機の床用吸込口体であって、可動部支持室に配設され弾性体によって可動板を中空室側に付勢して前記可動部支持室の連通孔を閉塞する可動部と、可動部に取り付けた歯形部と、回動自在に軸支され一端に歯形部と噛み合う歯形部を有し、他端に回動接続部を有するほぼＶ字状の回動部、前面開口部を開閉する開閉扉、開閉扉を収容する収容部内に配設され一端が回動部の回動接続部に連結され他端が開閉扉に連結された腕部とを備え、吸込室内の負圧が強まると可動部が吸込室方向に移動して開閉扉が前面開口部を開放し、吸込室内の負圧が弱まると可動部が中空室方向に移動して開閉扉により前面開口部を閉じるように構成したので、簡易で経済的な装置によって、毛足の長い絨毯上で絨毯への吸い付きが弱くなり、操作性能が飛躍的に向上し、壁際の吸塵性能も向上する。
【００２８】
また、本発明にかかる電気掃除機の床用吸込口体は、塵埃等を吸引する吸込口を有する吸込口本体と、吸込口本体に回動自在に連結された連結筒とを備え、吸込口本体を上部の中空室と下部の吸込室に区画し、吸込室の前面に前面開口部と前面開口部を開閉する開閉扉を設けると共に、開閉扉と連動し吸込室内の負圧によって上下動する可動部を設け、開口部の上部に中空室と連通し開閉扉を収容する収容部を設けると共に、中空室に中空室と吸込室間を連通し可動部の上下動によって開閉する連通孔を備えた可動部支持室を設け、可動部支持室内を上下動する可動部と収容室内を移動する開閉扉とを中空室内において連結手段により連結した電気掃除機の床用吸込口体であって、可動部支持室に配設され弾性体によって可動板を中空室側に付勢して可動部支持室の連通孔を閉塞する可動部と、支持溝内に配設され弾性体により前面開口部側に付勢されて前面開口部を閉塞する開閉扉と、前記可動部と開閉扉との間に懸架された連結材とを備え、前記吸込室内の負圧が強まると可動部が吸込室方向に移動して開閉扉が前面開口部を開放し、吸込室内の負圧が弱まると可動部が中空室方向に移動して開閉扉により前面開口部を閉じるように構成したので、簡易で経済的な装置によって、毛足の長い絨毯上で絨毯への吸い付きが弱くなり、操作性能が飛躍的に向上し、壁際の吸塵性能も向上する。
さらに、本発明にかかる電気掃除機の床用吸込口体は、中空室の壁面に外気と連通する小孔を設けたので、外気との連通が良好になる。
【図面の簡単な説明】
【図１】  本発明の実施の形態１の縦断面図である。
【図２】  一部を断面で示した図１の正面図である。
【図３】  図１の作用説明図である。
【図４】  図１の作用説明図である。
【図５】  本発明の実施の形態２の縦断面図である。
【図６】  一部を断面で示した図５の正面図である。
【図７】  図５の作用説明図である。
【図８】  図５の作用説明図である。
【図９】  従来の電気掃除機の床用吸込口体の一例の縦断面図である。
【図１０】  図７の底面側からの斜視図である。
【符号の説明】
１  吸込口本体、４  吸込口室、５  吸込口、５ａ  仕切壁、６  吸込室、７中空室、８  連結筒、９  可動部支持室、９ａ  連通孔、１０  可動部、１１可動板、１３  弾性体、１４  直線形状の歯形部、１５  回動部、１７  円弧形状の歯形部、１８  前面開口部、１９  開口部、２０  開閉扉、２１  腕部、２２  回動接続部、２３  小孔、２７  支持溝、２８  扉支持棒、２９  支持溝側弾性体、３０  連結材。
【図１】
0003820540.tif 000002
【図２】
0003820540.tif 000003
【図３】
0003820540.tif 000004
【図４】
0003820540.tif 000005
【図５】
0003820540.tif 000006
【図６】
0003820540.tif 000007
【図７】
0003820540.tif 000008
【図８】
0003820540.tif 000009
【図９】
0003820540.tif 000010
【図１０】
0003820540.tif 000011